(57)【要約】  【課題】配管に磁性異物吸着用の電磁石を容易に後付けして、磁性異物による油圧機器の事故発生を防止し、さらに濾過した磁性異物を配管外に容易に排出する。  【解決手段】コイルの一半周分側の各巻線を支持する絶縁体製の一方の半円筒状体１５Ａと、コイルの他半周分側の各巻線を支持する絶縁体製の他方の半円筒状体１５Ｂとを備え、一方の半円筒状体１５Ａと他方の半円筒状体１５Ｂとで磁性体製の配管８を抱持するように当該両半円筒状体１５Ａ，１５Ｂを対接させるとともに対応する一半周分側の各巻線の両端部１１ａ，…，１１ａ，…と他半周分側の各巻線の両端部１１ｂ，…，１１ｂ…とを嵌合接続させることにより配管８の外周部にコイルを構成し、また、磁性異物が吸着捕捉される配管８の内周部には、磁性体製のシートを挿脱可能とした。【選択図】図３
2006255625.tif 000002
【特許請求の範囲】
【請求項１】
油圧機器へ圧油が流れる磁性体製の配管の外周部に、巻線を複数回巻回したコイルを装着することにより構成され、前記圧油中に混入している磁性異物を前記配管の内周部に吸着捕捉する電磁石を有する磁石装着配管であって、
前記配管の外周面形状に対応した内周面形状をそれぞれ有し、前記コイルの一半周分側の各巻線を支持する絶縁体製の一方の半円筒状体と、前記コイルの他半周分側の各巻線を支持する絶縁体製の他方の半円筒状体とを備え、前記一方の半円筒状体と前記他方の半円筒状体とで前記配管を抱持するように当該両半円筒状体を対接させるとともに対応する前記一半周分側の各巻線の両端部と前記他半周分側の各巻線の両端部とを嵌合接続させることにより前記コイルを構成してなることを特徴とする磁石装着配管。
【請求項２】
上記磁性異物が吸着捕捉される上記配管の内周部には、磁性体製のシートを挿脱可能としてなることを特徴とする請求項１記載の磁石装着配管。
【発明の詳細な説明】
【技術分野】
【０００１】
本発明は、磁石装着配管に関するものであり、特に、配管に磁性異物吸着用の電磁石を容易に後付けして、磁性異物による油圧機器の事故発生を防止することができ、さらには濾過した磁性異物を配管外に容易に排出することができる磁石装着配管に関するものである。
【背景技術】
【０００２】
磁石装着配管に関連する従来技術として、例えば次のような鉄粉吸着フィルタが知られている。この従来技術は、軸方向両端側に圧油の流入口及び流出口が設けられ、該流入口、流出口間が流路面積の大きい油室となったケーシングと、該ケーシングの油室内に設けられ、前記流入口から油室内に流入してくる圧油に乱流を発生させる複数の油孔が穿設された乱流発生板と、該乱流発生板の下流側面に設けられ、該乱流発生板により乱流状態となった圧油中から鉄粉を吸着するマグネットとしての磁石板とを備えて構成され、油圧回路の高圧側管路途中に配設されている（例えば、特許文献１参照）。
【０００３】
また、磁石装着配管に関連する他の従来技術として、例えば次のようなマグネティックフイルタが知られている。この従来技術は、平面状の濾過部材に、その縁部全周にわたって該濾過部材を囲むようにしてマグネット材製の支持部材が接合されている。該マグネット材製の支持部材により、前記濾過部材の表面上に、磁束が該表面にほぼ直角な方向に並んだ磁界を形成するようにしている。マグネティックフイルタは、このように構成されて電磁弁の上流側管路途中に配設されている。
【０００４】
そして、管路を流れる圧油中に混入している磁性材コンタミナントを、前記支持部材からの磁力により引き付け、該磁性材コンタミナントを濾過部材の表面に前記磁束の方向に沿って重なるように捕捉し、濾過部材表面に、より多くの磁性材コンタミナントを保持できるようにしている。このようにして、捕捉した磁性材コンタミナントにより目詰まりが生じるまでの時間、即ちマグネティックフイルタの交換もしくは清掃のためのインターバルを長くするようにしている（例えば、特許文献２参照）。
【特許文献１】特開平５−３２９３１１号公報（第２頁、図２）。
【特許文献２】特公平３−１８４８４号公報（第２頁、図１〜３）。
【発明の開示】
【発明が解決しようとする課題】
【０００５】
特許文献１に記載の従来技術においては、流路面積の大きい油室を持つケーシングを備えた鉄粉吸着フィルタが、油圧回路の高圧側管路途中に配設されている。このため、管路途中への鉄粉吸着フィルタの配設には、管路等の設計変更が必要である。そして、鉄粉を吸着捕捉した鉄粉吸着フィルタの交換もしくは清掃に関しては、何等の開示もない。
【０００６】
また、特許文献２に記載の従来技術においては、濾過部材とマグネット材製の支持部材とが接合されたマグネティックフイルタが、電磁弁の上流側管路途中に配設されている。このため、管路途中へのマグネティックフィルタの配設には、上記特許文献１に記載の従来技術の場合と同様に、管路等の設計変更を伴うか、もしくは管路への何らかの加工等が必要である。そして、磁性材コンタミナントを吸着捕捉したマグネティックフイルタの交換もしくは清掃に関しては、そのインターバルを長くするようにしているとだけ記載されて、具体的な手段は、開示されていない。
【０００７】
そこで、配管に磁性異物吸着用の電磁石を容易に後付けして磁性異物による油圧機器の事故発生を防止し、さらに濾過した磁性異物を配管外に容易に排出するために解決すべき技術的課題が生じてくるのであり、本発明はこの課題を解決することを目的とする。
【課題を解決するための手段】
【０００８】
本発明は上記目的を達成するために提案されたものであり、請求項１記載の発明は、油圧機器へ圧油が流れる磁性体製の配管の外周部に、巻線を複数回巻回したコイルを装着することにより構成され、前記圧油中に混入している磁性異物を前記配管の内周部に吸着捕捉する電磁石を有する磁石装着配管であって、前記配管の外周面形状に対応した内周面形状をそれぞれ有し、前記コイルの一半周分側の各巻線を支持する絶縁体製の一方の半円筒状体と、前記コイルの他半周分側の各巻線を支持する絶縁体製の他方の半円筒状体とを備え、前記一方の半円筒状体と前記他方の半円筒状体とで前記配管を抱持するように当該両半円筒状体を対接させるとともに対応する前記一半周分側の各巻線の両端部と前記他半周分側の各巻線の両端部とを嵌合接続させることにより前記コイルを構成してなる磁石装着配管を提供する。
【０００９】
この構成によれば、磁性体製の配管をコアとして、該配管の外周部に、対応する一半周分側の各巻線の両端部と他半周分側の各巻線の両端部とを嵌合接続させてコイルを形成することにより電磁石が構成される。そして、該電磁石に給電することで、圧油中の磁性異物が配管の内周部に吸着捕捉され、該磁性異物が濾過された圧油が油圧機器に供給される。
【００１０】
請求項２記載の発明は、上記磁性異物が吸着捕捉される上記配管の内周部には、磁性体製のシートを挿脱可能としてなる磁石装着配管を提供する。
【００１１】
この構成によれば、圧油中の磁性異物を磁性体製のシートに吸着捕捉したのち、電磁石への給電を切ることで、配管の内周面から磁性体製のシートの吸着状態が解放されるとともに吸着捕捉された磁性異物が該磁性体製のシート上に解放される。この状態で磁性体製のシートを取り出すことにより、濾過した磁性異物が配管外に排出される。
【発明の効果】
【００１２】
請求項１記載の発明は、配管の外周面形状に対応した内周面形状をそれぞれ有し、コイルの一半周分側の各巻線を支持する絶縁体製の一方の半円筒状体と、前記コイルの他半周分側の各巻線を支持する絶縁体製の他方の半円筒状体とを備え、前記一方の半円筒状体と前記他方の半円筒状体とで前記配管を抱持するように当該両半円筒状体を対接させるとともに対応する前記一半周分側の各巻線の両端部と前記他半周分側の各巻線の両端部とを嵌合接続させることにより前記コイルを構成したので、磁性体製の配管の外周部に、対応する一半周分側の各巻線の両端部と他半周分側の各巻線の両端部とを嵌合接続させてコイルを形成することで、配管等には殆ど設計変更を必要とせずに配管に対し磁性異物吸着用の電磁石を容易に後付けすることができる。そして、磁性異物が濾過された圧油が油圧機器に供給されることで、磁性異物による油圧機器の事故発生を防止することができるという利点がある。
【００１３】
請求項２記載の発明は、上記磁性異物が吸着捕捉される上記配管の内周部には、磁性体製のシートを挿脱可能としたので、電磁石への給電を切ることで、配管の内周面から磁性体製のシートの吸着状態を解放するとともに吸着捕捉した磁性異物を磁性体製のシート上に解放したのち、該磁性体製のシートを配管外に取り出すことにより濾過した磁性異物を配管外に容易に排出することができるという利点がある。
【発明を実施するための最良の形態】
【００１４】
配管に磁性異物吸着用の電磁石を容易に後付けして磁性異物による油圧機器の事故発生を防止し、さらに濾過した磁性異物を配管外に容易に排出（清掃）するという目的を、油圧機器へ圧油が流れる磁性体製の配管の外周部に、巻線を複数回巻回したコイルを装着することにより構成され、前記圧油中に混入している磁性異物を前記配管の内周部に吸着捕捉する電磁石を有する磁石装着配管であって、前記配管の外周面形状に対応した内周面形状をそれぞれ有し、前記コイルの一半周分側の各巻線を支持する絶縁体製の一方の半円筒状体と、前記コイルの他半周分側の各巻線を支持する絶縁体製の他方の半円筒状体とを備え、前記一方の半円筒状体と前記他方の半円筒状体とで前記配管を抱持するように当該両半円筒状体を対接させるとともに対応する前記一半周分側の各巻線の両端部と前記他半周分側の各巻線の両端部とを嵌合接続させることにより前記コイルを構成し、また、磁性異物が吸着捕捉される前記配管の内周部には、磁性体製のシートを挿脱可能とすることにより実現した。
【実施例１】
【００１５】
以下、本発明の実施例を図面に従って詳述する。まず、図１乃至図５を用いて、本実施例に係る磁石装着配管の構成を説明する。図１において、油圧ポンプ１の吸入口１ａが、吸入配管２を経てタンク３に連通され、該油圧ポンプ１の吐出口１ｂが、吐出配管４を経て油圧機器としてのコントロールバルブ５における給油ポート５ａに連通されている。該コントロールバルブ５の出力ポート５ｂは、給油配管６を経て油圧モータ７の一方のポート７ａに連通され、該油圧モータ７の他方のポート７ｂは、戻り配管８を経て前記コントロールバルブ５の戻りポート５ｃに連通されている。該コントロールバルブ５の排油ポート５ｄは、排油配管９を経てタンク３に連通されている。
【００１６】
上記各配管２，４，６，８，９の内、少なくとも前記戻り配管８については、磁性体である鉄製のものが用いられている。そして、前記油圧モータ７からコントロールバルブ５へ圧油が流れる該戻り配管８の外周部に、該圧油中に混入している磁性異物を当該戻り配管８の内周部に吸着捕捉するための電磁石１０が装着されている。
【００１７】
図２に示すように、該電磁石１０は、鉄製の戻り配管８をコアとして、該戻り配管８の外周部に、巻線１１を複数回巻回したコイル１２を装着することにより構成されている。該コイル１２の両端は、スイッチ１３を介して直流電源１４に接続されている。
【００１８】
本実施例は、前記電磁石１０を、戻り配管８上に容易に後付けすることが可能に構成されており、図３及び図４の（ａ）、（ｂ）は、この後付けを可能とした構成を示している。図３は、コイル１２の各半周分の巻線をそれぞれ支持する一対のプラスチック等からなる絶縁体製の半円筒状体１５Ａ，１５Ｂを示している。図４は、戻り配管８の外周部への前記半円筒状体１５Ａ，１５Ｂの固定手段を示しており、同図（ａ）はねじによる固定手段を示し、同図（ｂ）はロック機構による固定手段を示している。
【００１９】
前記各半円筒状体１５Ａ，１５Ｂは、前記戻り配管８の外周面形状に対応した内周面形状をそれぞれ有し、一方の半円筒状体１５Ａには、前記コイル１２の一半周分側の各巻線が支持され、他方の半円筒状体１５Ｂには、前記コイル１２の他半周分側の各巻線が支持されている。
【００２０】
前記一方の半円筒状体１５Ａと前記他方の半円筒状体１５Ｂとで前記戻り配管８を抱持するように当該両半円筒状体１５Ａ，１５Ｂを各フランジ１５ａ，１５ｂの部分で対接固定させるとともに対応する前記一半周分側の各巻線の両端部１１ａ，…，１１ａ，…と前記他半周分側の各巻線の両端部１１ｂ，…，１１ｂ…とを嵌合接続させることにより前記コイル１２が完成されるように構成されている。
【００２１】
前記両半円筒状体１５Ａ，１５Ｂにおける両フランジ１５ａ，１５ｂ部分の固定手段としては、ねじ１６による固定方法（図４（ａ））、又はロック機構１７による固定方法（図４（ｂ））が用いられている。ロック機構１７の先端部には、バネ性を持つ爪１７ａが形成されている。
【００２２】
このように、前記一方の半円筒状体１５Ａと前記他方の半円筒状体１５Ｂとを、戻り配管８を抱持するように対接させて、対応する一半周分側の各巻線の両端部１１ａ，…，１１ａ，…と他半周分側の各巻線の両端部１１ｂ，…，１１ｂ…とを嵌合接続させることで、コアとなる当該戻り配管８の外周部にコイル１２が完成されて電磁石１０が構成されるので、該電磁石１０は、その戻り配管８等には、格別の設計変更を必要とすることなく該戻り配管８上に容易に後付けすることが可能である。
【００２３】
また、図５に示すように、磁性異物が吸着捕捉される戻り配管８の内周部には、該吸着捕捉した磁性異物を配管外に排出（清掃）するための一手段として、磁性体製のシート１８が挿脱可能とされている。電磁石１０が装着されている部位近傍の戻り配管８の一部は、フランジ８ａを介して取り外し可能に構成されている。戻り配管８の内周部に対する磁性体製のシート１８の挿脱は、該一部の戻り配管８を取り外して、図示のように、フランジ８ａの部分から行われる。
【００２４】
磁性体製のシート１８の端部には、鍔部１８ａが形成されており、該磁性体製のシート１８が戻り配管８内に挿し込まれたとき前記鍔部１８ａがフランジ８ａ側に形成された切欠き凹部８ｂに掛け止められて、戻り配管８の内周部における磁性体製のシート１８の移動が規制されるように構成されている。
【００２５】
次に、上述の構成された磁石装着配管の作用を説明する。磁性異物が吸着捕捉される戻り配管８の内周部領域には、予め磁性体製のシート１８が挿入されている。スイッチ１３をオンして電磁石１０に給電することにより、前記磁性体製のシート１８が戻り配管８の内周面に緊密に吸着固定されるとともに戻り配管８内を流れる圧油中の磁性異物が磁性体製のシート１８の内面側に吸着捕捉されて、該磁性異物が濾過される。
【００２６】
したがって、例えば、油圧モータ７内に破損が起きて戻り配管８内の圧油中に磁性破損片が混入したとしても、該磁性破損片は、戻り配管８内における磁性体製のシート１８の内面側に吸着捕捉されて、その下流側のコントロールバルブ５には、該磁性破損片が濾過された圧油が供給される。
【００２７】
この結果、上流側の油圧モータ７内に事故が起きても、該事故に起因する磁性破損片が下流側のコントロールバルブ５に回って、該コントロールバルブ５に二次事故の発生することが防止される。
【００２８】
そして、吸着捕捉した磁性異物を配管外に排出する際は、スイッチ１３をオフして電磁石１０への給電を切り、戻り配管８の内周面から磁性体製のシート１８の吸着状態を解放するとともに吸着捕捉した磁性異物を前記磁性体製のシート１８上に解放する。この後、フランジ８ａ等の部分から一部の戻り配管８を取り外し、フランジ８ａの部分から磁性体製のシート１８を引き出して吸着捕捉した磁性異物を戻り配管８外に排出する。
【００２９】
上述したように、本実施例に係る磁石装着配管においては、磁性体製の戻り配管８の外周部に、対応する一半周分側の各巻線の両端部１１ａ，…，１１ａ，…と他半周分側の各巻線の両端部１１ｂ，…，１１ｂ…とを嵌合接続させてコイル１２を形成することで、戻り配管８等には殆ど設計変更を必要とせずに該戻り配管８に対し磁性異物吸着用の電磁石１０を容易に後付けすることができる。
【００３０】
戻り配管８の上流側の油圧モータ７内に事故が発生して、戻り配管８内の圧油中に磁性破損片が混入しても、電磁石１０に給電することで、その圧油中の磁性破損片を濾過することができる。したがって、下流側のコントロールバルブ５に、該磁性破損片による二次事故の発生するのを防止することができる。
【００３１】
磁性異物を磁性体製のシート１８の内面側に吸着捕捉後、電磁石１０への給電を切り、磁性異物を磁性体製のシート１８上に解放し、該磁性体製のシート１８を引き出すことで、吸着捕捉した磁性異物を配管外に容易に排出（清掃）することができる。
【００３２】
次いで、変形例を述べる。本実施例は、コアとなる戻り配管８の外周部にコイル１２を形成することで、該戻り配管８上に電磁石１０の後付けを可能としたものであるが、配管上への電磁石の後付けは、次のような構成によっても可能である。即ち、比較的小型のコア入り電磁石を、当該配管に必要とされるフィルタ能力に応じて複数個準備し、該複数個の電磁石を、適宜の支持具を介して配管の外周部に、その管軸に直交するように放射状に装着しても、電磁石の後付けが可能である。
【００３３】
なお、本発明は、本発明の精神を逸脱しない限り種々の改変をなすことができ、そして、本発明が該改変されたものにも及ぶことは当然である。
【図面の簡単な説明】
【００３４】
図は、本発明の実施例に係る磁石装着配管を示すものである。
【図１】圧油がコントロールバルブに流れる配管上に電磁石を装着した状態を示す油圧回路図。
【図２】巻線を複数回巻回したコイルを配管の外周部に装着して構成した電磁石を示す構成図。
【図３】コイルの各半周分の巻線を支持する一対の絶縁体製の半円筒状体を示す斜視図。
【図４】配管の外周部への半円筒状体の固定手段を示す斜視図で、（ａ）はねじによる固定手段を示す図、（ｂ）はロック機構による固定手段を示す図。
【図５】配管の内周部に挿脱可能とした磁性体製のシートを示す斜視図。
【符号の説明】
【００３５】
１            油圧ポンプ
５            コントロールバルブ（油圧機器）
７            油圧モータ
８            戻り配管（配管）
１０            電磁石
１１            巻線
１２            コイル
１５Ａ，１５Ｂ  半円筒状体
１８            磁性体製のシート
【図１】
2006255625.tif 000003
【図２】
2006255625.tif 000004
【図３】
2006255625.tif 000005
【図４】
2006255625.tif 000006
【図５】
2006255625.tif 000007